(57)【要約】【課題】ドライバーの状態に限らず、運転状況にも鑑みて適切に運転支援を行う。【解決手段】運転支援システムは、ドライバー状態情報を取得する状態情報取得部１１と、ドライバー状態情報に基づいて眠気の程度を判定する眠気判定部１２と、車両の現在位置を特定する自位置特定部１３と、目的地情報を取得する目的地情報取得部１４と、自位置情報と目的地情報とに基づいて所要時間を演算する所要時間演算部１５と、ドライバーが判定基準値よりも強い眠気を生じていると判定された場合に、目的地情報及び所要時間を含む決定条件に基づいて、走行を継続するための継続走行支援及びドライバーに休憩を促す休憩支援を含む支援内容を決定する支援内容決定部１７と、支援内容に応じて異なる刺激をドライバーに提供する刺激提供部５とを備える。【選択図】図１
2014071628.tif 000002
【特許請求の範囲】
【請求項１】
車両を運転するドライバーの状態を示すドライバー状態情報を取得する状態情報取得部と、
前記ドライバー状態情報に基づいて前記ドライバーの眠気の程度を判定する眠気判定部と、
前記車両の現在位置を特定して自位置情報を生成する自位置特定部と、
前記車両の目的地を示す目的地情報を取得する目的地情報取得部と、
前記自位置情報と前記目的地情報とに基づいて前記目的地までの所要時間を演算する所要時間演算部と、
前記眠気判定部により、前記ドライバーが予め規定された判定基準値よりも強い眠気を生じていると判定された場合に、前記目的地情報及び前記所要時間を含む決定条件に基づいて、走行を継続するための継続走行支援及び前記ドライバーに休憩を促す休憩支援を含む支援内容を決定する支援内容決定部と、
前記支援内容決定部により決定された前記支援内容に応じて異なる刺激を前記ドライバーに提供する刺激提供部と、
を備える運転支援システム。
【請求項２】
さらに、日時情報を取得する日時情報取得部を備え、
前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、
前記基準所要時間は、前記日時情報と前記所要時間とに基づいて、前記目的地への到着予想時刻が遅くなるのに応じて、長い時間に設定される請求項１に記載の運転支援システム。
【請求項３】
前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、
前記基準所要時間は、前記目的地情報に基づいて、前記目的地が前記ドライバーの自宅であると判定される場合は、前記目的地が自宅以外であると判定される場合に比べて長い時間に設定される請求項１又は２に記載の運転支援システム。
【請求項４】
さらに、日時情報を取得する日時情報取得部を備え、
前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、
前記基準所要時間は、前記日時情報に基づいて、翌日が前記ドライバーの出勤日であると判定される場合は、翌日が出勤日でないと判定される場合に比べて長い時間に設定される請求項１から３の何れか一項に記載の運転支援システム。
【請求項５】
前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、
前記基準所要時間は、前記目的地情報に基づいて、前記目的地が前記ドライバーの自宅であると判定される場合は、前記目的地が自宅以外であると判定される場合に比べて長い時間に設定され、前記目的地が前記ドライバーの職場であると判定される場合は、前記目的地が自宅であると判定される場合に比べてさらに長い時間に設定される請求項１から４の何れか一項に記載の運転支援システム。
【請求項６】
前記刺激提供部は、前記支援内容が前記継続走行支援の場合には、前記ドライバーを覚醒に導く刺激を提供し、前記支援内容が前記休憩支援の場合には、前記ドライバーを休憩へ導く刺激を提供する請求項１から５の何れか一項に記載の運転支援システム。
【請求項７】
前記刺激提供部は、前記支援内容が前記休憩支援の場合には、休憩地点の情報を提供する請求項６に記載の運転支援システム。  
【請求項８】
前記支援内容決定部は、前記ドライバーが、前記判定基準値よりも強い眠気に対応する高レベル基準値よりも強い眠気を生じていると前記眠気判定部により判定された場合に、前記決定条件に拘わらず、前記ドライバーに迅速な休憩を促す強制休憩支援を前記支援内容に決定し、
前記ドライバーが、前記判定基準値よりも弱く、前記判定基準値よりも弱い眠気に対応する低レベル基準値よりも強い眠気を生じていると前記眠気判定部により判定された場合に、前記ドライバーに対して眠気を生じていることの警告を行う警告支援を前記支援内容に決定する請求項１から７の何れか一項に記載の運転支援システム。
【請求項９】
車両を運転するドライバーの状態を示すドライバー状態情報を取得する状態情報取得機能と、
前記ドライバー状態情報に基づいて前記ドライバーの眠気の程度を判定する眠気判定機能と、
前記車両の現在位置を特定して自位置情報を生成する自位置特定機能と、
前記車両の目的地を示す目的地情報を取得する目的地情報取得機能と、
前記自位置情報と前記目的地情報とに基づいて前記目的地までの所要時間を演算する所要時間演算機能と、
前記眠気判定部により、前記ドライバーが予め規定された判定基準値よりも強い眠気を生じていると判定された場合に、前記目的地情報及び前記所要時間を含む決定条件に基づいて、走行を継続するための継続走行支援及び前記ドライバーに休憩を促す休憩支援を含む支援内容を決定する支援内容決定機能と、
前記支援内容決定部により決定された前記支援内容に応じて異なる刺激を刺激提供部を介して前記ドライバーに提供する刺激提供機能と、
をコンピュータに実行させる運転支援プログラム。
【請求項１０】
車両を運転するドライバーの状態を示すドライバー状態情報を取得する状態情報取得ステップと、
前記ドライバー状態情報に基づいて前記ドライバーの眠気の程度を判定する眠気判定ステップと、
前記車両の現在位置を特定して自位置情報を生成する自位置特定ステップと、
前記車両の目的地を示す目的地情報を取得する目的地情報取得ステップと、
前記自位置情報と前記目的地情報とに基づいて前記目的地までの所要時間を演算する所要時間演算ステップと、
前記眠気判定部により、前記ドライバーが予め規定された判定基準値よりも強い眠気を生じていると判定された場合に、前記目的地情報及び前記所要時間を含む決定条件に基づいて、走行を継続するための継続走行支援及び前記ドライバーに休憩を促す休憩支援を含む支援内容を決定する支援内容決定ステップと、
前記支援内容決定部により決定された前記支援内容に応じて異なる刺激を前記ドライバーに提供する刺激提供ステップと、
を備える運転支援方法。
【発明の詳細な説明】
【技術分野】
【０００１】
本発明は、ドライバーによる車両の運転を支援する運転支援技術に関する。
【背景技術】
【０００２】
ドライバーの様子や生体情報などを検出し、当該ドライバーのコンディション（体調）を判定して、安全運転を支援する運転支援システムが提案されている。このような支援には、例えば眠気を催しているドライバーに対して、覚醒のための刺激を与えることが含まれる。特開２００８−１８６１８１号公報（特許文献１）には、ドライバーが違和感なく刺激を受け入れることができるように構成された覚醒維持装置が提案されている。この覚醒維持装置は、眠気レベルを３つの範囲（刺激不提示範囲・条件付刺激提示範囲・刺激提示範囲）に分けて、それぞれの範囲に応じて異なる３つの形態で、覚醒効果のある刺激をドライバーに与えるように構成されている。刺激不提示範囲が設定されていることから明らかなように、これらの形態には、刺激を与えない形態も含まれる（第３０〜３４段落、要約等）。このように、この覚醒維持装置では、眠気レベルに応じて異なる形態で覚醒効果のある刺激の与え方を異ならせている。しかし、刺激による覚醒の必要性や効果は、眠気レベルのようなドライバーのコンディションに限らず、行き先や時間帯などの運転状況によっても異なる可能性がある。
【先行技術文献】
【特許文献】
【０００３】
【特許文献１】特開２００８−１８６１８１号公報
【発明の概要】
【発明が解決しようとする課題】
【０００４】
上記背景に鑑みて、ドライバーのコンディションに限らず、運転状況にも鑑みて適切に運転支援を行う技術の提供が望まれる。
【課題を解決するための手段】
【０００５】
上記課題に鑑みた本発明に係る運転支援システムの特徴構成は、
車両を運転するドライバーの状態を示すドライバー状態情報を取得する状態情報取得部と、
前記ドライバー状態情報に基づいて前記ドライバーの眠気の程度を判定する眠気判定部と、
前記車両の現在位置を特定して自位置情報を生成する自位置特定部と、
前記車両の目的地を示す目的地情報を取得する目的地情報取得部と、
前記自位置情報と前記目的地情報とに基づいて前記目的地までの所要時間を演算する所要時間演算部と、
前記眠気判定部により、前記ドライバーが予め規定された判定基準値よりも強い眠気を生じていると判定された場合に、前記目的地情報及び前記所要時間を含む決定条件に基づいて、走行を継続するための継続走行支援及び前記ドライバーに休憩を促す休憩支援を含む支援内容を決定する支援内容決定部と、
前記支援内容決定部により決定された前記支援内容に応じて異なる刺激を前記ドライバーに提供する刺激提供部と、を備える点にある。
【０００６】
この特徴構成によれば、ドライバーが眠気を生じていると判定された際に、目的地情報及び所要時間を含む決定条件に基づいて支援内容が決定される。そして、決定された支援内容に応じて異なる刺激がドライバーに提供される。つまり、ドライバーが眠気を生じている場合に、一律に同様の刺激が提供されるのではなく、目的地情報や所要時間などの運転状況が考慮された決定条件に基づく支援内容に応じた刺激が提供される。その結果、眠気などのドライバーのコンディションに限らず、運転状況にも鑑みて適切に運転支援を行うことが可能となる。
【０００７】
ところで、所要時間が比較的短い場合には、ドライバーは早く目的地に到着したいと考える可能性が高くなり、反対に所要時間が比較的長い場合には、ドライバーは休憩等を挟んで目的地へ向かおうと考える可能性が高くなる。従って、支援内容決定部は、所要時間に応じて、支援内容を決定すると好適である。また、目的地への到着予想時刻が比較的遅い時刻の場合には、ドライバーは早く目的地に到着したいと考える可能性が高く、反対に到着予想時刻が比較的早い時刻の場合には、時間的な余裕があるために、ドライバーは休憩等を挟んで目的地へ向かおうと考える可能性が高くなる。従って、支援内容決定部は、所要時間に加え、到着予想時刻も考慮して支援内容を決定すると好適である。そのような１つの好適な態様として、本発明に係る運転支援システムは、さらに、日時情報を取得する日時情報取得部を備え、前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、前記基準所要時間は、前記日時情報と前記所要時間とに基づいて、前記目的地への到着予想時刻が遅くなるのに応じて、長い時間に設定されるものであるとよい。
【０００８】
また、ドライバーは、目的地が自宅である場合には、早く帰って落ち着きたいと考える可能性があり、休憩を促すと煩わしさを覚える可能性もある。従って、運転支援システムは、目的地が自宅である場合には、休憩支援よりも継続走行支援が選択され易いように構成されていると好適である。そのような１つの態様として、前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、前記基準所要時間は、前記目的地情報に基づいて、前記目的地が前記ドライバーの自宅であると判定される場合は、前記目的地が自宅以外であると判定される場合に比べて長い時間に設定されると好適である。
【０００９】
別の観点として、翌日がドライバーの出勤日であるような場合には、ドライバーは早く目的地に到着して、落ち着きたいと考える可能性がある。また、この目的地は、自宅である可能性が高く、休憩を促すと煩わしさを覚える可能性もある。従って、翌日がドライバーの出勤日であるような場合には、目的地が自宅である際と同様に、休憩支援よりも継続走行支援が選択され易いように構成されていると好適である。そのような１つの好適な態様として、本発明に係る運転支援システムは、さらに、日時情報を取得する日時情報取得部を備え、前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、前記基準所要時間は、前記日時情報に基づいて、翌日が前記ドライバーの出勤日であると判定される場合は、翌日が出勤日でないと判定される場合に比べて長い時間に設定されるものであるとよい。
【００１０】
また別の観点として、目的地がドライバーの職場であるような場合、通勤途上に休憩を促すと、ドライバーが煩わしさを覚える可能性がある。従って、目的地がドライバーの職場であるような場合には、休憩支援よりも継続走行支援が選択され易いように構成されていると好適である。多くの場合、出勤時は、自宅で休養した後に運転を始めていると考えられるので、目的地が自宅である場合よりもさらに、休憩支援よりも継続走行支援が選択され易いように構成されていると好適である。そのような１つの態様として、前記支援内容決定部は、前記所要時間が予め規定された基準所要時間以下の場合には、前記支援内容を前記継続走行支援に決定し、前記基準所要時間よりも長い場合には、支援内容を前記休憩支援に決定するものであり、前記基準所要時間は、前記目的地情報に基づいて、前記目的地が前記ドライバーの自宅であると判定される場合は、前記目的地が自宅以外であると判定される場合に比べて長い時間に設定され、前記目的地が前記ドライバーの職場であると判定される場合は、前記目的地が自宅であると判定される場合に比べてさらに長い時間に設定されると好適である。
【００１１】
ところで、本発明に係る運転支援システムの前記刺激提供部は、前記支援内容が前記継続走行支援の場合には、前記ドライバーを覚醒に導く刺激を提供し、前記支援内容が前記休憩支援の場合には、前記ドライバーを休憩へ導く刺激を提供すると好適である。継続走行支援が実行される際には、ドライバーが運転を継続するので、ドライバーが生じている眠気が解消又は抑制されるように、ドライバーを覚醒に導く刺激が提供されると効果的である。一方、休憩支援の場合には、ドライバーに運転を中断させて休憩させるために、ドライバーを休憩に導く刺激、例えば休憩方法の案内などが行われると効果的である。
【００１２】
ここで、前記刺激提供部は、前記支援内容が前記休憩支援の場合には、休憩地点の情報を提供すると好適である。上述したように、休憩支援の場合には、例えば休憩方法などが案内されると効果的である。休憩方法の案内として、休憩可能場所の位置や提供されるサービス、即ち休憩地点の情報が提供されるとドライバーは迅速に効果的な休憩を取ることができる。つまり、ドライバーは、コーヒーやお茶などの覚醒効果の高い飲み物を飲んだり、顔を洗ったりするようなことを効率的に実施することができる。
【００１３】
尚、ドライバーが非常に強い眠気を生じているような場合には、目的地や所要時間等に拘わらず、休憩を促すことが好ましい。一方、継続運転支援や休憩支援の実施が不要な程度の弱い眠気を生じているような場合でも、眠気を生じ始めていることを警告すれば、覚醒レベルの低下を抑制することができる可能性がある。従って、継続運転支援や休憩支援が実施される判定基準値よりも高い基準値や、低い基準値によって、別の支援内容による運転支援が実施されると好適である。そのような１つの態様として、本発明に係る運転支援システムの前記支援内容決定部は、前記ドライバーが、前記判定基準値よりも強い眠気に対応する高レベル基準値よりも強い眠気を生じていると前記眠気判定部により判定された場合に、前記決定条件に拘わらず、前記ドライバーに迅速な休憩を促す強制休憩支援を前記支援内容に決定し、前記ドライバーが、前記判定基準値よりも弱く、前記判定基準値よりも弱い眠気に対応する低レベル基準値よりも強い眠気を生じていると前記眠気判定部により判定された場合に、前記ドライバーに対して眠気を生じていることの警告を行う警告支援を前記支援内容に決定すると好適である。
【００１４】
上述した本発明に係る運転支援システムの種々の技術的特徴は、運転支援プログラムや、運転支援方法にも適用可能である。従って、本発明は、そのような運転支援プログラムや、運転支援方法も権利の対象とすることができる。例えば、本発明に係る運転支援プログラムは、上述した運転支援システムの特徴を備えた各種のステップをコンピュータに実行させることが可能である。以下にその代表的な態様を例示する。当然ながらこのような運転支援プログラムも、上述した運転支援システムの作用効果を奏することができる。さらに、運転支援システムの好適な態様として例示した種々の付加的特徴をこの運転支援プログラムに組み込むことも可能であり、当該プログラムはそれぞれの付加的特徴に対応する作用効果も奏することができる。本発明に係る運転支援方法についても同様である。
【００１５】
その場合における、本発明に係る運転支援プログラムの特徴は、
車両を運転するドライバーの状態を示すドライバー状態情報を取得する状態情報取得機能と、
前記ドライバー状態情報に基づいて前記ドライバーの眠気の程度を判定する眠気判定機能と、
前記車両の現在位置を特定して自位置情報を生成する自位置特定機能と、
前記車両の目的地を示す目的地情報を取得する目的地情報取得機能と、
前記自位置情報と前記目的地情報とに基づいて前記目的地までの所要時間を演算する所要時間演算機能と、
前記眠気判定部により、前記ドライバーが予め規定された判定基準値よりも強い眠気を生じていると判定された場合に、前記目的地情報及び前記所要時間を含む決定条件に基づいて、走行を継続するための継続走行支援及び前記ドライバーに休憩を促す休憩支援を含む支援内容を決定する支援内容決定機能と、
前記支援内容決定部により決定された前記支援内容に応じて異なる刺激を刺激提供部を介して前記ドライバーに提供する刺激提供機能と、をコンピュータに実行させる点にある。
【００１６】
また、本発明に係る運転支援方法の特徴構成は、
車両を運転するドライバーの状態を示すドライバー状態情報を取得する状態情報取得ステップと、
前記ドライバー状態情報に基づいて前記ドライバーの眠気の程度を判定する眠気判定ステップと、
前記車両の現在位置を特定して自位置情報を生成する自位置特定ステップと、
前記車両の目的地を示す目的地情報を取得する目的地情報取得ステップと、
前記自位置情報と前記目的地情報とに基づいて前記目的地までの所要時間を演算する所要時間演算ステップと、
前記眠気判定部により、前記ドライバーが予め規定された判定基準値よりも強い眠気を生じていると判定された場合に、前記目的地情報及び前記所要時間を含む決定条件に基づいて、走行を継続するための継続走行支援及び前記ドライバーに休憩を促す休憩支援を含む支援内容を決定する支援内容決定ステップと、
前記支援内容決定部により決定された前記支援内容に応じて異なる刺激を前記ドライバーに提供する刺激提供ステップと、を備える点にある。
【図面の簡単な説明】
【００１７】
【図１】運転支援システムの構成を示す模式的ブロック図
【図２】運転支援の手順を示すフローチャート
【図３】警告支援モードの報知例を示す図
【図４】強制休憩支援モードの報知例を示す図
【図５】休憩支援モードの報知例を示す図
【図６】休憩支援モードにおける休憩地点の情報の報知例を示す図
【図７】継続走行支援モードの報知例を示す図
【図８】支援モードを決定する手順を示すフローチャート
【図９】支援モードを決定するための走行シーンテーブルの一例を示す図
【発明を実施するための形態】
【００１８】
以下、本発明の実施形態を図面に基づいて説明する。運転支援システム１は、ドライバーによる運転操作を支援するシステムであり、例えば駐車時の運転操作を支援する駐車支援システムや、効率のよい運転となるように運転操作を支援する走行支援システムなどを含むシステムである。本実施形態では、運転支援システム１は、ドライバーの状態や車両の目的地、当該目的地までの所要時間等に応じて、眠気の解消や抑制のための支援、弱い眠気が生じている状態において運転を継続するための支援等を行う。
【００１９】
また、本実施形態では、運転支援システム１は、ナビゲーションシステムと一体化されている。よく知られているように、ナビゲーションシステムは、目的地までの経路情報や、車両の周辺情報、交通情報などをドライバーに提供して、ドライバーを案内するシステムである。図１においては、便宜上、運転支援システム１の中核となる種々の機能部により構成された運転支援演算部３と、ナビゲーションシステムの中核となる不図示の機能部により構成されたナビゲーション演算部４とを分けて図示しているが、例えば同一の機能を有する機能部は共有されていてもよい。
【００２０】
また、運転支援システム１は、図１に示すように車載システムの一部を構成し、走行制御システム３０や顔認識システム９と協働する。走行制御システム３０は、内燃機関や回転電機などの車両の駆動装置を制御するシステムである。図１に示すように、走行制御システム３０は、アクセルペダル（アクセル操作部）の操作量を検出するアクセルセンサ３１、ブレーキペダル（ブレーキ操作部）の操作量を検出するブレーキセンサ３２、ステアリングホイールの操作量を検出する舵角センサ３３、走行輪の回転速度や回転方向を検出する回転センサ３４、シフトレバーの位置を検出する不図示のシフト位置センサなどの検出結果に基づいて、車両駆動装置を制御する。具体的には、走行制御システム３０は、これら運転装置の操作量を検出するセンサの検出結果や、走行輪の回転速度や回転方向を検出する回転センサ３４や、車両の加速度を検出する加速度センサ３５、不図示の方位センサなど、車両の挙動を検出するセンサの検出結果に基づいて、走行指令値を演算し、車両用駆動装置を制御する。また、顔認識システム９は、後述するように、ドライバーの顔を認識するシステムである。
【００２１】
図１に示すように、運転支援システム１を含む各システムや、各種センサは、車内ネットワーク１００を介して接続され、互いに情報伝達可能に構成されている。尚、この車内ネットワーク１００を介した接続形態は模式的なものであり、各システム及び各センサは、図１の形態に限定されることなく、直接あるいは間接的に接続されていてもよい。
【００２２】
図１に示すように、運転支援システム１は、マイクロコンピュータなどの論理演算プロセッサを有して構成されるナビゲーションＥＣＵ２を中核として構成されている。つまり、運転支援システム１は、当該プロセッサなどのハードウェアとプログラムなどのソフトウェアとの協働によって、図１に示すような、種々の機能を実現する複数の機能部を有して構成される。運転支援システム１は、状態情報取得部１１と、眠気判定部１２と、自位置特定部１３と、目的地情報取得部１４と、所要時間演算部１５と、日時情報取得部１６と、支援内容決定部１７と、刺激提供部５とを有して構成されている。
【００２３】
状態情報取得部１１は、車両を運転するドライバーの状態を示すドライバー状態情報を取得する機能部である。眠気判定部１２は、ドライバー状態情報に基づいてドライバーの眠気の程度を判定する機能部である。自位置特定部１３は、車両の現在位置を特定して自位置情報を生成する機能部である。目的地情報取得部１４は、車両の目的地を示す目的地情報を取得する機能部である。所要時間演算部１５は、自位置情報と目的地情報とに基づいて目的地までの所要時間を演算する機能部である。日時情報取得部１６は、日時情報を取得する機能部である。
【００２４】
支援内容決定部１７は、ドライバーが予め規定された判定基準値（標準基準値）よりも強い眠気を生じていると判定された場合に、決定条件に基づいて支援内容（支援モード）を決定する機能部である。この支援内容には、少なくとも継続走行支援（継続走行支援モード）及び休憩支援（休憩支援モード）が含まれる。また、決定条件には、目的地情報及び所要時間が含まれる。支援モードの内、継続走行支援モードは、ドライバーが判定基準値（標準基準値）よりも強い眠気を生じていると判定された場合でも、走行を継続するための支援を行うモードである。休憩支援モードは、ドライバーに休憩を促すモードである。尚、後述するように、支援モードには、これらの他、ドライバーに迅速な休憩を促す強制休憩支援モード、単にドライバーに対して眠気を生じていることの警告を行う警告支援モードを含めることができる。また、決定条件には、目的地への到着予想時刻なども含めることができる。
【００２５】
刺激提供部５は、支援内容決定部１７により決定された支援内容（支援モード）に応じて異なる刺激をドライバーに提供する機能部である。刺激提供部５の実体は、情報提供部６として機能する表示装置５０や、実刺激提供部７として機能するシート振動制御装置６１、シート振動部６２、におい発生装置７１である。支援内容決定部１７で決定された支援モードに基づき、例えば運転支援演算部３に構成される不図示の刺激提供制御部が、実際に刺激を提供する装置に作動指令や情報を出力する。この作動指令や情報に基づいて、刺激提供部５の実体である各装置は、ドライバーに刺激を提供する。
【００２６】
表示装置５０は、例えば、車両のコントロールパネルやダッシュボードに設置される平面ディスプレイ（ＦＰＤ：flat panel display）である。このＦＰＤは、ナビゲーションシステムの表示装置としても利用される。このような表示装置５０は、ディスプレイ５０ｄと、スピーカー５０ｓとを有して構成されている。ナビゲーション演算部４から提供されるナビゲーション情報の表示と、運転支援演算部３から提供される運転支援情報（刺激）の表示とを同一のディスプレイ５０ｄで行う場合には、ディスプレイ５０ｄの表示画面が分割されると好適である。あるいは、運転支援情報の表示が必要となった場合に、ナビゲーション情報が表示されている表示画面上に、運転支援情報が重畳表示されてもよい。また、表示装置５０は、フロントウィンドウに通常の視界と重なって情報（ここでは支援情報）が表示されるヘッドアップディスプレイ（ＨＵＤ：head-up display）であってもよい。ダッシュボード等に設置されるＦＰＤとＨＵＤとの双方が備えられる場合には、ＦＰＤにてナビゲーション情報の表示行い、ＨＵＤにて運転支援情報の表示を行うなど、双方で表示対象を分担してもよい。
【００２７】
詳細は後述するが、表示装置５０を介してドライバーに提供される刺激は、判定された眠気の程度や、ドライバーへのメッセージである。従って、当該刺激は、“情報（支援情報）”ということもでき、表示装置５０は、情報提供部６としても機能する。尚、表示装置５０に備えられるスピーカー５０ｓも、眠気の程度やメッセージを音声によりドライバーに伝えるものであるから、同様に情報提供部６として機能する。但し、スピーカー５０ｓは、そのようなメッセージの他にも、警報音を鳴らすことが可能である。これは、具体的な情報を示すというよりも、ドライバーの聴覚に直接、覚醒のための刺激を提供していることと等価である。つまり、いわゆる目覚まし時計のベルやアラームと同様の刺激を提供していることになる。従って、スピーカー５０ｓは、ドライバーの五感に直接的に刺激を与える実刺激提供部７としても機能する。当然ながら、ディスプレイ５０ｄに支援情報が表示されることによって、通常とは異なる刺激が視覚的にドライバーに提供されるということもできる。従って、図１では、実刺激提供部７には含めていないが、ディスプレイ５０ｄも実刺激提供部７として機能することが可能である。
【００２８】
本実施形態では、実刺激提供部７として、スピーカー５０ｓの他、シート振動制御装置６１及びシート振動部６２、におい発生装置７１が備えられている。シート振動制御装置６１は、ドライバーが着座するシートに振動を発生させるための制御を行う機能部である。そして、シート振動部６２は、シート振動制御装置６１の制御に基づいて、アクチュエータを駆動させてシートを振動させる。ドライバーは、シートから直接、触覚への刺激を受けることになる。また、におい発生装置７１は、例えばわさび臭などを発生させて、ドライバーの嗅覚に対して直接、刺激を提供する。わさび臭は、就寝中であっても気づくことができる刺激として知られている。従って、覚醒のための刺激として好適である。尚、図１には制御装置やアクチュエータ（振動部）は不図示であるが、ステアリングホイールを振動させることも、覚醒のための刺激として好適である。
【００２９】
ここで、図２のフローチャートを参照して、運転支援システム１による運転支援の手順について説明する。初めに、状態情報取得部１１により、ドライバーの状態を示すドライバー状態情報が取得される（＃１：状態情報取得機能／ステップ）。ドライバー状態情報とは、生体情報センサ３８により検出される呼吸数や呼吸の深さ、心拍数（脈拍）、顔認識システム９により認識されるドライバーの視線の動き、視線の位置、目の開き具合（瞼の位置）、顔の向き、顔の動きなどである。生体情報センサ３８は、例えばシートの背もたれ部や、座面に設けられた荷重センサや圧電センサ等によって実現されている。例えば、肺や心臓に近い背もたれ部に設けられたセンサによって呼吸数や呼吸の深さ、心拍数が検出可能であり、大腿部の血管に近い座面に設けられたセンサによって脈拍（心拍数）が検出可能である。また、顔認識システム９は、コントロールパネルや、サンバイザーの上方等に設置された車内カメラ９１によりドライバーの顔を撮影し、画像認識を行う。
【００３０】
次に、取得されたドライバー状態情報に基づいて前記ドライバーの眠気の程度（眠気レベル）を判定する眠気判定処理が、眠気判定部１２により実施される（＃２：眠気判定機能／ステップ）。１つの態様として、目の開き具合や、目の開き具合の経過により眠気の程度を定量的に表すことができる。この他、瞬きの回数や瞳の動きにより眠気の程度を表すことができる。また、呼吸や心拍数の変化から緊張の度合いや眠気の程度を推定することもできる。当然ながら、顔認識システム９の認識結果と、生体情報センサ３８の検出結果との双方を用いて、総合的に眠気を判定してもよい。続いて、算出された眠気が、標準基準値（判定基準値）よりも低い眠気に対応する低レベル基準値を超えているか否かが、眠気判定部１２により判定される（＃３：眠気判定機能／ステップ）。眠気が低レベル基準値以下の場合には、機能／ステップ＃１に戻り、＃１〜＃３を繰り返す。
【００３１】
眠気が低レベル基準値を超えている場合には、眠気が標準基準値（判定基準値）を超えているか否かが、眠気判定部１２により判定される（＃４：眠気判定機能／ステップ）。眠気が標準基準値以下の場合には、支援内容決定部１７により、支援内容が“警告支援”と決定される（＃１１：支援内容決定機能／ステップ）。そして、刺激提供部５により、警告支援モードの運転支援（刺激の提供）が実行される（刺激提供機能／ステップ）。警告支援モードは、ドライバーに対して眠気を生じていることの警告を行う支援モードである。つまり、ドライバーが標準基準値（判定基準値）よりも弱く、標準基準値よりも弱い眠気に対応する低レベル基準値よりも強い眠気を生じていると眠気判定部１２において判定された場合に、支援内容決定部１７は、警告支援を支援内容として決定する。
【００３２】
図３は、警告支援モードが実行された場合にディスプレイ５０ｄに表示される画像の一例と、スピーカー５０ｓから発せられるメッセージの一例とを示している。ディスプレイ５０ｄには、眠気の程度がインジケータ状に描画される。針状の標章の示す位置が判定された眠気の程度（眠気レベル）を示している。この画面表示によってドライバーは、自身に軽く眠気が生じていること、並びにその眠気の程度を視覚的に知覚することができる。また、スピーカー５０ｓより、「注意！眠気が上昇しています！」などの注意喚起のメッセージが発せられるので、眠気が生じていることを聴覚的に知覚すると共に、耳からの刺激によって眠気を少しでも解消させることができる。
【００３３】
再び、図２のフローチャートを参照して説明を続ける。機能／ステップ＃４において眠気が標準基準値よりも強いと判定されると、次に、眠気が高レベル基準値以下であるか否かが、眠気判定部１２により判定される（＃５：眠気判定機能／ステップ）。眠気が高レベル基準値よりも強い場合には、支援内容決定部１７により、支援内容が“強制休憩支援”と決定される（＃１４：支援内容決定機能／ステップ）。そして、刺激提供部５により、強制休憩支援モードの運転支援が実行される（刺激提供機能／ステップ）。強制休憩支援モードは、目的地情報及び所要時間を含む決定条件に拘わらず、ドライバーに迅速な休憩を促す支援モードである。つまり、ドライバーが標準基準値（判定基準値）よりも強い眠気に対応する高レベル基準値よりも強い眠気を生じていると眠気判定部１２により判定された場合に、支援内容決定部１７は、決定条件に拘わらず、ドライバーに対して強く休憩を促す強制休憩支援を支援内容として決定する。
【００３４】
図４は、強制支援モードが実行された場合にディスプレイ５０ｄに表示される画像の一例と、スピーカー５０ｓから発せられるメッセージの一例とを示している。表示の形態は警告支援モードと同様である。この画面表示によってドライバーは、自身に非常に強い眠気が生じていることを視覚的に知覚することができる。また、スピーカー５０ｓより、「大変強い眠気が生じています！直ちに走行を止めてください！」や「直ちに休憩してください！」などの、強く休憩を促すメッセージが発せられるので、眠気が生じていることを聴覚的に知覚すると共に、耳からの強い刺激によって眠気を少しでも解消させることができる。また、スピーカー５０ｓは、メッセージの合間やメッセージと共に警報音も鳴らして実刺激をドライバーの耳に提供してもよい。さらに、シート振動部６２によるシートの振動や、におい発生装置７１による刺激臭の発生、ステアリングホイールの振動など、実刺激提供部７による刺激の提供も行うと、ドライバーが車両を停車させるまでの間、ドライバーをある程度覚醒させた状態に戻しておくことができる。
【００３５】
再び、図２のフローチャートを参照して説明を続ける。機能／ステップ＃５において、眠気が高レベル基準値以下であると判定された場合には、支援内容決定部１７において走行シーン判定処理が実行される（＃６：支援内容決定機能／ステップ）。走行シーン判定処理は、目的地情報及び所要時間を含む決定条件に基づいて、車両の走行シーンを判定する処理である。支援内容決定部１７は、判定された走行シーンに応じて支援内容を決定する。大きな方向性として、支援内容決定部１７は、所要時間が予め規定された基準所要時間以下の場合には、支援内容を“継続走行支援”に決定し、基準所要時間よりも長い場合には、支援内容を“休憩支援”に決定する。詳細については図８及び図９を参照して後述する。
【００３６】
走行シーン判定処理において支援内容が休憩支援と判定された場合には、支援内容決定部１７により、支援内容が“休憩支援”と決定される（＃７，＃１２：支援内容決定機能／ステップ）。そして、刺激提供部５により、休憩支援モードの運転支援（刺激の提供）が実行される（刺激提供機能／ステップ）。一方、走行シーン判定処理（＃６）において支援内容が継続走行支援と判定された場合には、支援内容決定部１７により、支援内容が“継続走行支援”と決定される（＃７，＃１３：支援内容決定機能／ステップ）。そして、刺激提供部５により、継続走行支援モードの運転支援（刺激の提供）が実行される。支援内容が決定すると再びはじめ（＃１）に戻り、上述した処理が繰り返される。
【００３７】
図５は、休憩支援モードが実行された場合にディスプレイ５０ｄに表示される画像の一例と、スピーカー５０ｓから発せられるメッセージの一例とを示している。表示の形態は警告支援モード及び強制休憩支援モードと同様である。この画面表示によってドライバーは、自身に比較的強い眠気が生じていることを視覚的に知覚することができる。また、スピーカー５０ｓより、「強い眠気が生じています！休憩をお勧めします！」や「早めに休憩してください！」などの、休憩を促すメッセージが発せられるので、眠気が生じていることを聴覚的に知覚すると共に、耳からの刺激によって眠気を少しでも解消させることができる。尚、上述した、休憩を促すメッセージは、ドライバーを休憩に導く刺激の提供に相当する。強制休憩支援モードと同様に、さらにスピーカー５０ｓから警報音を鳴らしたり、におい発生装置７１から刺激臭を発生させたりしても良いが、休憩支援モードが選択される場面では、検出誤差も考慮するとドライバーの覚醒度が比較的高い可能性もある。このため、多くの実刺激を提供すると却ってドライバーに煩わしさを覚えさせる可能性もある。従って、休憩支援モードではそのような実刺激は抑制されていてもよい。
【００３８】
休憩支援モードでは、さらに、ナビゲーション演算部４と協働して、刺激提供部５が休憩地点の情報を提供してもよい。つまり、図６に示すように、ディスプレイ５０ｄに休憩に適した場所の情報が表示されてもよい。例えば、地図上に、最寄りのコーヒーショップ、ファーストフードショップ、コンビニエンスストアなどが表示されると好適である。この際、さらに、各ショップのクーポン券情報や、新商品情報などが表示されると、ドライバーが立ち寄って休憩しようとする動機付けとなる。また、ドライバーの過去の立ち寄り先などの履歴情報から、表示する休憩地点を選択すると情報の提示量が適切な量に抑制され、視認性も高くなって効果的である。
【００３９】
このような休憩地点の情報は、自動的に表示される形態であってもよいし、ドライバーの意思を確認した後に表示される形態であってもよい。例えば、タッチパッドを有して構成されたＦＰＤに表示された「休憩地点の候補を表示しますか？」等のメッセージボックスをタッチ操作することによって、情報が表示されてもよい。尚、眠気の程度を示す表示は、ＨＵＤに表示され、休憩地点の情報は、ＦＰＤに表示されるなど、表示対象によって異なる表示装置が利用されてもよい。尚、休憩地点の情報の提供は、ドライバーを休憩に導く刺激の提供に相当する。
【００４０】
図７は、継続運転支援モードが実行された場合にディスプレイ５０ｄに表示される画像の一例と、スピーカー５０ｓから発せられるメッセージの一例とを示している。表示の形態は警告支援モード、強制休憩支援モード、休憩支援モードと同様である。この画面表示によってドライバーは、自身に比較的強い眠気が生じていることを視覚的に知覚することができる。また、スピーカー５０ｓより、「眠気が生じています！注意して走行してください！」などの注意を促すメッセージが発せられるので、眠気が生じていることを聴覚的に知覚すると共に、耳からの刺激によって眠気を少しでも解消させることができる。
【００４１】
この支援モードでは、図８及び図９を利用して後述するように、早く目的地に到着したいであろうという、ドライバーの意思を尊重して、休憩を薦めることなく継続して運転するための支援が実施される。つまり、継続走行支援モードでは、休憩支援モードとほぼ同様の眠気が生じている状態において、休憩を取るための行動を支援するのではなく、継続して安全に運転するための行動を支援する。このため、休憩支援モードの実行時に比べて、ドライバーに実刺激を提供して覚醒度を向上させる必要性は高くなる。つまり、継続走行支援モードにおいては、ドライバーを覚醒に導く刺激が提供されるとより効果的である。例えば、ドライバーが煩わしさを覚えない程度に、スピーカー５０ｓから警報音を鳴らしたり、におい発生装置７１から刺激臭を発生させたり、シートやステアリングホイールを振動させたりして実刺激を与えることも好適である。あるいは、スピーカー５０ｓより、発せられる「眠気が生じています！注意して走行してください！」などのメッセージの繰り返し頻度を、休憩支援モードの実行時よりも高くする（繰り返し間隔を短くする）ことで、聴覚的な刺激を強くしてもよい。
【００４２】
このように、本発明の運転支援システム１は、ドライバーに同程度の眠気が生じている状態において、“休憩支援”と“継続走行支援”とが決定条件（走行シーン）を基準として選択される点に特徴を有する。以下、この点について説明する。図８は、図２の走行シーン判定処理（＃６）の詳細を示すフローチャートである。はじめに、自位置特定部１３により車両の現在位置が特定される（＃６１：自位置特定機能／ステップ）。自位置の特定は、ナビゲーション演算部４との協働により実施される。例えば、自位置特定部１３（及び自位置特定機能／ステップ）は、ナビゲーション演算部４（及びナビゲーションプログラム／方法）と共通であってもよい。
【００４３】
ナビゲーションシステムは、良く知られているように、出発地から目的地までの経路探索、経路案内、案内中の自車両周辺の情報の提供などを行う。ナビゲーションＥＣＵ２には、図１に示すように、地図データベース４２、ＧＰＳ受信機４１、不図示の方位センサや距離センサなどと情報伝達可能に接続されている。ナビゲーションＥＣＵ２は、ＧＰＳ受信機４１や方位センサ、距離センサなどにより取得された情報を用いて、ＧＰＳ（Global Positioning System）による測量やデッドレコニング(Dead-Reckoning)による自律制御を利用した演算を実行して車両位置（自位置）を特定する。また、図示は省略するが、位置精度を高めるために、ナビゲーションＥＣＵ２は、さらに地物認識機能を備えて構成されていてもよい。地物認識機能とは、カメラ３６などの車載カメラによる撮影画像を用いて路面上の道路表示（ペイント）や、道路標識、信号機やトンネルなどの構造物などの地物を画像認識して、地図データベース４２に格納された地物情報（座標情報）と照合する機能である。
【００４４】
地図データベース４２には、所定の区画毎に分けられた地図データが格納されている。地図データは、交差点に対応する複数のノードと各ノード間を接続する道路に対応する複数のリンクとの接続関係により構成される道路ネットワークデータを含んでいる。各ノードは、緯度及び経度で表現された地図上の位置の情報を有している。各リンクは、その属性情報として、道路種別、リンク長、道路幅、道路形状等の情報を有している。この他、地図データベース４２には、道路上や道路周辺に設けられた各種の地物（例えば、道路標示、道路標識、信号機、標識、陸橋、トンネル等）の情報、すなわち地物情報が格納されている。
【００４５】
ナビゲーション演算部４と共通して、或いは独立して設けられた自位置特定部１３は、上述したようなＧＰＳによる測量やデッドレコニング、地物認識等によって、車両の現在位置を特定して自位置情報を生成する。次に、目的地情報取得部１４は、車両の目的地を示す目的地情報を取得する（＃６２：目的地情報取得機能／ステップ）。目的地情報の取得も、ナビゲーション演算部４と協働して実施される。例えば、ナビゲーションシステムに対してドライバーが目的地を設定した場合には、当該目的地が目的地情報として取得される。ナビゲーションシステムに目的地が設定されていない場合には、車両の走行履歴や現在時刻、現在の進行方向、直近の走行ルートなどから、目的地が推定されて目的地情報として取得される。例えば、日常的な通勤経路であれば、これらの情報に基づいて、職場へ向かっているか、自宅へ向かっているかが比較的高い確率で推定可能である。本実施形態の運転支援システム１では、少なくとも目的地が自宅であること、より好ましくは目的地が自宅又は職場であることが比較的高い確率で推定できるように構成されている。
【００４６】
続いて、所要時間演算部１５が、自位置情報と目的地情報とに基づいて目的地までの所要時間を演算する（＃６３：所要時間演算機能／ステップ）。さらに、日時情報取得部１６が、日時情報を取得する（＃６４：日時情報取得機能／ステップ）。この所要時間の演算、及びこの日時情報の取得についても、運転支援演算部３とナビゲーション演算部４とが協働する。尚、日時情報は、ナビゲーションＥＣＵ２に搭載された時計から取得されてもよいし、ＧＰＳ受信機４１により受信されたＧＰＳ信号から取得されてもよい。また、上述したように、目的地を推定する際には、日時情報も用いられる場合があるので、機能／ステップ＃６１〜＃６４の順序は、図８に示す順序に限定されることなく、例えば、機能／ステップ＃６４が最初に実施されてもよい。
【００４７】
必要な情報の生成及び取得が完了すると、これらの情報を引数として、図９に示す走行シーンテーブルが参照される（＃６５：支援内容決定機能／ステップ）。この走行シーンテーブルに規定された条件が支援内容の決定条件である。支援内容決定部１７は、決定条件に基づいて、支援内容を選択する（＃６６：支援内容決定機能／ステップ）。
【００４８】
以下、決定条件としての走行シーンテーブルの構成例について説明する。本実施形態では、一般的な給与所得者の生活パターンに応じたテーブルを例示する。つまり、週休２日制で土曜日、日曜日及び祝日が休日、月曜日から金曜日まで昼間時間帯（朝から夕方）に勤務しており、自宅から職場まで自動車通勤しているドライバーの生活パターンに合わせたテーブルである。このテーブルは、個々のドライバーの事情に合わせて設定可能に構成されていると好適である。また、運転支援システム１に複数のテーブルを登録可能であって、選択的に利用できる構成も好適である。
【００４９】
目的地情報による区分は、図９に示すように、“自宅”、“職場”、“自宅・職場以外”、“不明”の４つである。例えば、自宅から鉄道の駅まで自動車で通勤しているような場合には、“職場”の代わりに“駅”が設定されていると好適である。目的地が“不明”の場合には、ドライバーの意思も不明確であるから、その他の条件を加味することなく、支援内容として“休憩支援”が設定されている。また、目的地が“職場”の場合には、本例の場合には、朝、目覚めた後の運転であることも考慮し、その他の条件を加味することなく、支援内容として“継続走行支援”が設定されている。
【００５０】
目的地が“自宅・職場以外”の場合には、ナビゲーションシステムに対して意図的に他の目的地が設定された可能性が高い。従って、目的地の特性に応じた設定は困難であり、単純に所要時間に応じて支援内容が設定されている。即ち、所要時間Ｔｒｅｆと、所要時間Ｔｒｅｑとの関係に応じて、“継続走行支援”と“休憩支援”とが選択されるように支援内容が設定されている。支援内容決定部１７は、走行シーンテーブルに基づいて、所要時間Ｔｒｅｑが予め規定された基準所要時間Ｔｒｅｆ以下の場合には、支援内容を“継続走行支援”に決定し、基準所要時間Ｔｒｅｆよりも長い場合には、支援内容を“休憩支援”に決定する。即ち、所要時間Ｔｒｅｆが比較的長い場合には、途中に休憩を挟むような運転支援が選択され、所要時間Ｔｒｅｆが比較的短い場合には、休憩を挟むことなく安全に目的に到着させるための運転支援が選択される。この際、基準所要時間Ｔｒｅｆは、走行シーンテーブルにおいて最も標準的な値（ここでは３０分）に設定されている。
【００５１】
目的地が“自宅”の場合には、さらに細かい分類が設定されている。例えば、上述したように、目的地が“自宅・職場以外”の場合には、基準所要時間Ｔｒｅｆは３０分に設定されている。これに対して、目的地が“自宅”であると判定される場合には、目的地が自宅以外と判定される場合に比べて長い時間（ここでは４５分）に、基準所要時間Ｔｒｅｆが設定される場合がある。図９に示すように、日時情報に含まれる曜日の情報が、平日（ここでは月曜日から金曜日）である場合、基準所要時間Ｔｒｅｆが標準的な値である３０分よりも長い４５分に設定されている。平日において目的地が自宅である場合は、勤務先から帰宅する途上である可能性が高い。一般的に、通勤途中では休憩を挟むよりも早く帰宅したいと考えるドライバーが多い。従って、休憩支援と継続走行支援との内で、より継続走行支援が選択され易くなるように、基準所要時間Ｔｒｅｆが長い時間に設定される。
【００５２】
ところで、通勤途中において目的地が職場である場合には、上述したように、基準所要時間Ｔｒｅｆを考慮することなく、継続走行支援が設定される。換言すれば、基準所要時間Ｔｒｅｆが無限大の値に設定されていることになる。つまり、基準所要時間Ｔｒｅｆは、目的地がドライバーの職場であると判定される場合、目的地が自宅であると判定される場合に比べてさらに長い時間に設定されることになる。
【００５３】
また、曜日の情報が休日である場合には、基準所要時間Ｔｒｅｆとして２種類の値が選択的に用いられる。例えば、当日が休日であって翌日が出勤日ではない場合（翌日も休日である場合）には、夜の遅い時刻に帰宅しても翌日の勤務への支障がないので、基準所要時間Ｔｒｅｆは標準的な時間である３０分に設定されている。一方、翌日が出勤日である場合には、翌日の勤務への影響がないように、早く帰宅して休息することが好ましい。従って、この場合には、継続走行支援が選択され易くなるように、基準所要時間Ｔｒｅｆは、より長い時間である４５分に設定されている。つまり、基準所要時間Ｔｒｅｆは、日時情報に基づいて、翌日がドライバーの出勤日であると判定される場合は、翌日が出勤日でないと判定される場合に比べて長い時間に設定される。
【００５４】
尚、翌日がドライバーの出勤日であると判定される場合であっても、現在時刻と所要時間Ｔｒｅｑとから演算される到着予想時刻が比較的早い場合には、基準所要時間Ｔｒｅｆとして、標準的な時間（３０分）が設定される。途中で休憩を挟んだとしても比較的早い時刻に帰宅できるので、翌日の勤務への影響が少ないと考えられるためである。換言すれば、基準所要時間Ｔｒｅｆは、日時情報と所要時間とに基づいて、目的地への到着予想時刻が遅くなるのに応じて、長い時間に設定される。
【００５５】
〔その他の実施形態〕
以下、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
【００５６】
（１）上記の説明においては、４つの支援内容から１つの支援内容が決定される場合を例示したが、２つの支援内容から１つの支援内容が選択されて決定されるものであってもよい。例えば、継続走行支援と休憩支援との２つから、１つが決定される形態であってもよい。
【００５７】
（２）上記の説明においては、走行シーンテーブルを参照して、支援内容を選択する例を示した。しかし、テーブルを参照することなく、同様の決定条件に基づく論理演算（条件分岐）により支援内容を決定してもよい。
【００５８】
（３）上記の説明においては、基準所要時間Ｔｒｅｆが複数種類設定され、条件に応じて異なる値が設定される構成を例示したが、基準所要時間Ｔｒｅｆは１種類であってもよい。また、基準所要時間Ｔｒｅｆが３０分や４５分に設定される例を示したが、これ以外の時間、例えば、より安全性を考慮して、１５分や２０分に設定されてもよい。
【００５９】
（４）走行シーンテーブルの引数となる項目は、図９に例示したものに限定されるものではない。他の要素も加味して、より高精度に支援内容が決定できるように構成されると好適である。また、クラウドコンピューティング技術と連携して、ドライバーのスケジュールから情報を抽出して、目的地の推定や、運転後の予定、翌日の予定などを考慮して支援内容を決定することも好適な実施形態である。
【００６０】
（５）上記の説明においては、運転支援システム１が車両に固定的に搭載される形態で構成されている例を示した（例えば図１参照）。しかし、運転支援システム１は、車両に固定的に搭載されたものに限らず、一部又は全ての機能がサーバーなど、車両とは異なる場所に設けられていてもよい。例えば、運転支援システム１は、使用時にのみ車両に持ち込まれるような、任意に移動可能なポータブルシステムであっても良い。
【産業上の利用可能性】
【００６１】
本発明は、ドライバーによる車両の運転を支援する運転支援システムに利用することができる。
【符号の説明】
【００６２】
１        ：運転支援システム
５        ：刺激提供部
１１      ：状態情報取得部
１２      ：眠気判定部
１３      ：自位置特定部
１４      ：目的地情報取得部
１５      ：所要時間演算部
１６      ：日時情報取得部
１７      ：支援内容決定部
Ｔｒｅｆ  ：基準所要時間
Ｔｒｅｆ  ：所要時間
Ｔｒｅｑ  ：所要時間
【図１】
2014071628.tif 000003
【図２】
2014071628.tif 000004
【図３】
2014071628.tif 000005
【図４】
2014071628.tif 000006
【図５】
2014071628.tif 000007
【図６】
2014071628.tif 000008
【図７】
2014071628.tif 000009
【図８】
2014071628.tif 000010
【図９】
2014071628.tif 000011